(57)【特許請求の範囲】
【請求項１】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該スカート壁の該内周面に形成されている該雌螺条の螺合開始端は、該突出片の周方向中心を角度領域の中心とする１８０度の角度領域内に位置付けられており、
該突出片の周方向中心に対して周方向に１８０度離隔した旋回先端角度位置を角度領域の中心とする６０度の角度領域においては、該雌螺条の軸線方向最下方に位置する部分は連続して切り欠かれている或いは連続して螺条高さが低減されている、
ことを特徴とする合成樹脂製容器蓋。
【請求項２】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該スカート壁の該内周面に形成されている該雌螺条の螺合開始端は、該突出片の周方向中心を角度領域の中心とする１８０度の角度領域内に位置付けられており、
該突出片の周方向中心に対して周方向に１８０度離隔した旋回先端角度位置を角度領域の中心とする８０度の角度領域においては、該雌螺条の軸線方向最下方に位置する部分は連続して切り欠かれている或いは連続して螺条高さが低減されている、
ことを特徴とする合成樹脂製容器蓋。
【請求項３】
該スカート壁の該内周面に形成されている該雌螺条の螺合開始端は、該突出片の周方向中心を角度領域の中心とする９０度の角度領域内に位置付けられている、請求項１又は２記載の合成樹脂製容器蓋。
【発明の詳細な説明】
【技術分野】
【０００１】
本発明は、容器の口頸部を開封した後においても容器蓋の全体が容器から分離されることがない型のタンパーエビデント特性を備えた合成樹脂製容器蓋、更に詳しくは本体と周方向に間隔をおいて配設された複数個の破断可能橋絡部を介して本体に接続されたタンパーエビデント裾部とを含み、橋絡部が破断されて本体が容器の口頸部から離脱されても、容器の口頸部に装着され続けるタンパーエビデント裾部に非破断接続片を介して本体が接続され続ける型の合成樹脂製容器蓋に関する。
【背景技術】
【０００２】
口頸部の外周面には雄螺条及びこの雄螺条の下方に位置する係止あご部が形成されている容器に適用される、タンパーエビデント特性を備えた合成樹脂製容器蓋として、下記特許文献１には、天面壁及びこの天面壁の周縁から垂下する筒状スカート壁を有し、スカート壁の内周面には口頸部の雄螺条に螺合せしめられる雌螺条が形成されている本体と、周方向に間隔をおいて配設された複数個の破断可能橋絡部を介して本体のスカート壁に接続され、内周面には口頸部の係止あご部に係止せしめられる係止手段が配設されている筒状タンパーエビデント裾部とを含む合成樹脂製容器蓋が開示されている。本体のスカート壁には下方に突出する突出片が配設されており、この突出片の周方向両側には、本体のスカート壁とタンパーエビデント裾部とを接続し且つタンパーエビデント裾部に対して本体が上方に移動せしめられると鉛直線に対する傾斜角度が漸次減少せしめられる傾動部を有する非破断接続片が配設されている。
【０００３】
上記のとおりの容器蓋を容器の口頸部に装着して口頸部を密封する際には口頸部に容器蓋を被嵌して閉方向に回転し、容器蓋の雌螺条を口頸部の雄螺条に螺合せしめる。螺合の進行に応じて口頸部に対して容器蓋が下降され、タンパーエビデント裾部に係止されている係止手段は口頸部の係止あご部を弾性的に乗り越えてその下方に係止せしめられる。口頸部を開封する際には、容器蓋を開方向に回転せしめて口頸部の雄螺条と容器蓋の雌螺条との螺合を解除する。螺合の解除と共に容器蓋の本体は口頸部に対して上昇されるが、タンパーエビデント裾部は係止手段が口頸部の係止あご部に係止されている故に上昇が阻止され、従って破断可能橋絡部に応力が生成されて破断可能橋絡部が破断される。破断可能橋絡部が破断され本体が上昇を続け、タンパーエビデント裾部から本体が上方に離隔されると、これに応じて非破断接続片の傾動部は鉛直線に対する傾斜が漸次低減される。本体が口頸部から離脱された後においても、本体は非破段接続片の所要部位を旋回中心として旋回されて容器の口頸部から片側に変位せしめられるが、タンパーエビデント裾部は口頸部に装着され続け、本体は非破断接続片を介してタンパーエビデント裾部に接続され続け、従って容器から分離されることはない。容器の内容物を全部ではなくて部分的に消費した時点で消費を中断した場合には、本体を非破断接続片の所要部位を旋回中心として開封の際の旋回方向に対して反対方向に旋回せしめて容器の口頸部に被嵌し、次いで容器蓋を閉方向に回転せしめて容器蓋の雌螺条を口頸部の雄螺条に再び螺合せしめ、かくして口頸部を仮密封することができる。
【先行技術文献】
【特許文献】
【０００４】
【特許文献１】特開２００８−５６２４６号公報
【発明の概要】
【発明が解決しようとする課題】
【０００５】
更に、本発明者等は、上記合成樹脂製容器蓋の改良として、先に特願２００８−１７８２２５において、非破断接続片の各々が傾動方向が逆である２個の傾動部を含む形態にせしめることを提案した。
【０００６】
然るに、本発明者の経験によれば、上述した如き合成樹脂容器蓋には、容器蓋の本体を容器の口頸部から離脱し、次いで非破断接続片の所要部位を旋回中心として旋回せしめて容器の口頸部から変位せしめた後に、口頸部の仮密封のために本体を非破断接続片の所要部位を旋回中心として開封の際の旋回方向に対して逆方向に旋回せしめて口頸部に被嵌する際に、本体を充分円滑に口頸部に被嵌することができない場合があることが判明した。
【０００７】
本発明は上記事実に鑑みてなされたものであり、その主たる技術的課題は、口頸部の仮密封のために本体を非破断接続片の所要部位を旋回中心として開封の際の旋回方向に対して逆方向に旋回せしめて口頸部に被嵌する際に、常に本体を充分円滑に口頸部に被嵌することができる、新規且つ改良された合成樹脂製容器蓋を提供することである。
【課題を解決するための手段】
【０００８】
本発明者は、鋭意検討及び実験の結果、従来の容器蓋においては、スカート壁の内周面に形成されている雌螺条の螺合開始端即ち下端が、周方向において本体の旋回起点（突出片の周方向中心）に対して１８０度変位した旋回先端角度位置乃至その近傍に位置せしめられており、それ故に容器の口頸部と容器蓋との相対的角度位置関係によっては、本体を上記逆方向に旋回せしめて容器の口頸部に被嵌する際に、スカート壁の内周面に形成されている雌螺条の螺合開始端即ち下端と口頸部の外周面に形成されている雄螺条の螺合開始端即ち上端が干渉し、かかる干渉によって口頸部に対する本体の円滑な被嵌が阻害されてしまうことを認識した。そしてまた、本体の旋回起点に対して１８０度離隔した旋回先端角度位置を中心とする所要角度領域における雌螺条が口頸部の雄螺条と干渉し、かかる干渉によっても口頸部に対する本体の円滑な被嵌が阻害されてしまうことを認識した。かかる認識に基づいて、スカート壁の内周面に形成されている雌螺条の螺合開始端を本体の旋回基点に対して所定角度領域に位置せしめ、そしてまた本体の旋回起点に対して１８０度離隔した旋回先端位置を中心とする所要角度領域において雌螺条の軸線方向最下方に位置する部分を連続して切り欠く或いは連続して螺条高さを低減せしめることによって、上記主たる技術的課題を達成することができることを見出した。
【０００９】
即ち、本発明によれば、上記技術的課題を達成する合成樹脂製容器蓋として、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該スカート壁の該内周面に形成されている該雌螺条の螺合開始端は、該突出片の周方向中心を角度領域の中心とする１８０度の角度領域内に位置付けられており、
該突出片の周方向中心に対して周方向に１８０度離隔した旋回先端角度位置を角度領域の中心とする６０度の角度領域においては、該雌螺条の軸線方向最下方に位置する部分は連続して切り欠かれている或いは連続して螺条高さが低減されている、
ことを特徴とする合成樹脂製容器蓋が提供される。
そしてまた、本発明によれば、上記技術的課題を達成する合成樹脂製容器蓋として、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該スカート壁の該内周面に形成されている該雌螺条の螺合開始端は、該突出片の周方向中心を角度領域の中心とする１８０度の角度領域内に位置付けられており、
該突出片の周方向中心に対して周方向に１８０度離隔した旋回先端角度位置を角度領域の中心とする８０度の角度領域においては、該雌螺条の軸線方向最下方に位置する部分は連続して切り欠かれている或いは連続して螺条高さが低減されている、
ことを特徴とする合成樹脂製容器蓋が提供される。
【００１０】
該スカート壁の該内周面に形成されている該雌螺条の螺合開始端は、該突出片の周方向中心を角度領域の中心とする９０度の角度領域内に位置付けられているのが好ましい。
【発明の効果】
【００１１】
本発明の合成樹脂製容器蓋においては、容器の口頸部に対して容器蓋が如何なる角度関係に位置付けられても、旋回先端角度位置において雌螺条の螺合開始端が雄螺条の螺合開始端と干渉することがない或いは干渉の度合いが小さい範囲に制限され、そしてまた旋回先端角度位置を角度領域の中心とする所要角度領域においては雌螺条の軸線方向最下方に位置する部分は連続して切り欠かれている或いは連続して螺条高さが低減されており、それ故に口頸部の仮密封のために本体を非破断接続片の所要部位を旋回中心として開封の際の旋回方向に対して逆方向に旋回せしめて口頸部に被嵌する際に、常に本体を充分円滑に口頸部に被嵌することができる。
【図面の簡単な説明】
【００１２】
【図１】本発明に従って構成された合成樹脂製容器蓋の好適実施形態を示す正面図。
【図２】図１に図示する容器蓋を容器の口頸部に装着して口頸部を密封した状態を、一部を断面で示す正面図。
【図３】図１に図示する容器蓋の突出片を示す部分断面図。
【図４】図２に図示する状態から、口頸部を開封するために容器蓋を開方向に幾分回転せしめた状態を示す正面図。
【図５】図４に図示する状態から容器蓋を更に開回転方向に回転せしめて容器蓋の本体を口頸部から離脱せしめて所要位置に保持した状態を示す正面図。
【図６】図１の線ＶＩ−ＶＩに沿った断面図。
【図７】図１に図示する容器蓋における雌螺条を示す展開図。
【図８】図２に図示する容器の口頸部における雄螺条を示す展開図。
【図９】容器蓋の本体を図５に図示する位置から旋回せしめて容器の口頸部に被嵌する際の雌螺条と雄螺条との関係を説明するための断面図。
【図１０】図９と同様の断面図。
【図１１】雌螺条の配置が本発明に従って改良されていない容器蓋を示す図６と同様の断面図。
【図１２】図１１に図示する容器蓋における雌螺条を示す展開図。
【図１３】図１１の容器蓋における本体を旋回せしめて容器の口頸部に被嵌する際の雌螺条と雄螺条との関係を説明するための断面図。
【図１４】図１１と同様の断面図。
【発明を実施するための形態】
【００１３】
以下、本発明に従って構成された合成樹脂製容器蓋の好適実施形態を図示している添付図面を参照して、更に詳細に説明する。
【００１４】
本発明に従って構成された合成樹脂製容器蓋の好適実施形態を図示している図１及び図２を参照して説明すると、ポリエチレン又はポリプロピレンの如き適宜の合成樹脂から射出成形（又は圧縮成形）によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０とを有する。天面壁８の上面中央部には射出成形の際に突起が生成されるのを回避するための円形凹部１２が形成されている。天面壁８の内面には２条のシール突条、即ち内側環状突条１４及び外側環状突条１６が形成されている。
【００１５】
図1及び図２を参照して説明を続けると、図示の容器蓋２においては、本体４の天面壁８の上面とスカート壁１０の外周面は断面図において円弧状の境界面を介して接続されている。そして、スカート壁１０の外周面の主部１３は実質上鉛直に垂下せしめられており、スカート壁１０の下端部１５は半径方向下方に向かって半径方向外方に傾斜して延び、次いで実質上鉛直に延びている。スカート壁１０の外周面における上記主部１３には、周方向に間隔をおいて軸線方向に延びる突条部とかかる突条部間に位置する非突条部とから構成されたナール１８が形成されている。突条部の横断面形状は略二等辺三角形状である。スカート壁１０の内周面には雌螺条２０が形成されている（この雌螺条２０については後に更に詳述する）。
【００１６】
図１及び図2を参照して説明を続けると、タンパーエビデント裾部６は全体として円筒形状であり、周方向に間隔をおいて配設された複数個の破断可能橋絡部２２（そのうちの１個を図２に図示している）を介して本体４のスカート壁１０に接続させている。破断可能橋絡部２２は特開２００７−１９１２０６号公報に開示されている破断可能橋絡部と実質上同一でよく、上端部はスカート壁１０の内周面下端部に接続され下端部はタンパーエビデント裾部６の内周面上端部に接続されている。タンパーエビデント裾部６の内周面には係止手段２４が配設されている。図示の実施形態における係止手段２４は、周方向に間隔をおいて配設された複数個の係止片（そのうちの１個を図２に図示ししている）から構成されており、係止片の各々はタンパーエビデント裾部６の内周面から半径方向内方に傾斜して上方に延出せしめられている。
【００１７】
図１及び図２において番号２６で示す領域において、本体４のスカート壁１０の下端縁は他の領域の下端縁よりも上方に変位せしめられており、またタンパーエビデント裾部６の上端縁は他の領域の上端縁よりも下方に変位せしめられ、そして更に領域２６の中央部においてはタンパーエビデント裾部６の上端縁は更に幾分下方に変位せしめられており、スカート壁１０とタンパーエビデント裾部６との間には正面図において略横長矩形状の開口２８が生成されている。開口２８の周方向中央部において、スカート壁１０には下方に突出する略矩形状の突出片３０が形成されている。図３を参照することによって明確に理解される如く、突出片３０は実質上垂直に垂下し、次いで半径方向外方に若干変位した後に実質上鉛直に垂下しており、その外面には段部３２が形成されている。
【００１８】
図１及び図２に明確に図示するとおり、上記開口２８内には、更に、突出片３０の両側に位置する非破断接続片３４ａ及び３４ｂが配設されている。図示の実施形態における非破断接続片３４ａは、スカート壁１０の下端縁に接続された上端部３６ａ、この上端部３６ａに続いて周方向片側（図１及び図２において右側）に実質上水平に延びる第一の傾動部３８ａ、第一の傾動部３８ａの延出端部から若干下方に延びる中間部４０ａ、中間部４０ａに続いて周方向他側（図１及び２において左側）に実質上水平に延びる第二の傾動部４２ａ及び第二の傾動部４２ａの延出端部から若干下方に延びてタンパーエビデント裾部６に接続されている下端部４４ａから構成されている。非破断接続片３４ａにおける下端部４４ａは薄肉である、換言すれば他の部分、即ち上端部３６ａ、第一の傾動部３８ａ、中間部４０ａ及び第二の傾動部４２ａと比べて肉厚が低減せしめられている。非破断接続片３４ｂは非破断接続片３４ａと線対称形状であり、スカート壁１０の下端縁に接続された上端部３６ｂ、この上端部３６ｂに続いて周方向他側（図１及び図２において左側）に実質上水平に延びる第一の傾動部３８ｂ、第一の傾動部３８ｂの延出端部から若干下方に延びる中間部４０ｂ、中間部４０ｂに続いて周方向片側（図１及び２において右側）に実質上水平に延びる第二の傾動部４２ｂ及び第二の傾動部４２ｂの延出端部から若干下方に延びてタンパーエビデント裾部６に接続されている下端部４４ｂから構成されている。非破断接続片３４ｂにおける下端部４４ｂは薄肉である、換言すれば他の部分、即ち上端部３６ｂ、第一の傾動部３８ｂ、中間部４０ｂ及び第二の傾動部４２ｂと比べて肉厚が低減せしめられている。非破断接続片３４ａ及び３４ｂにおける上端部３６ａ及び３６ｂ、第一の傾動部３８ａ及び３８ｂ、中間部４０ａ及び４０ｂ並びに第二の傾動部４２ａ及び４２ｂの肉厚は０．４０乃至１．２０ｍｍ程度で、非破断接続片３４ａ及び３４ｂにおける下端部４４ａ及び４４ｂの肉厚は０．２０乃至０．４０ｍｍ程度でよい。所望ならば、非破断接続片３４ａにおける第一の傾動部３６ａ及び第二の傾動部４２ａ並びに非破断接続片３４ｂにおける第一の傾動部３６ｂ及び第二の傾動部４２ｂを水平ではなくて下方に幾分傾斜して延在するようになすこともできる。
【００１９】
図２を参照して説明を続けると、ポリエチレンテレフタレートの如き適宜の合成樹脂或いはガラスから形成することができる容器の口頸部４６は全体として円筒形状であり、その上面は開口されている。口頸部４６の外周面には、雄螺条４８（この雄螺条４８については後に更に詳述する）とこの雄螺条４８の下方に位置する係止あご部５０が形成されている。
【００２０】
口頸部４６に容器蓋２を装着して口頸部４６を密封する際には、口頸部４６に容器蓋２を被嵌して閉方向（図２において上方から見て時計方向）に回転せしめ、口頸部４６の雄螺条４８に容器蓋２の雌螺条２０を螺合せしめる。雄螺条４８に対する雌螺条２０の螺合の進行に応じて容器蓋２は口頸部４６に対して漸次下降する。図２に図示する状態まで口頸部４６に対して容器蓋２が下降せしめられると、容器蓋２の本体４における天面壁８の内面に形成されている内側環状突条１４及び外側環状突条１６が夫々口頸部４６の内周面及び外周面に密接せしめられ、これによって口頸部４６が密封される。容器蓋２のタンパーエビデント裾部６の内周面に配設されている係止手段２４は口頸部４６の係止あご部５０を弾性的に乗り越えて、係止あご部５０の下面に係止せしめられる。
【００２１】
口頸部４６を開封する際には、容器蓋２を開方向（図２において上方から見て反時計方向）に回転せしめ、口頸部４６の雄螺条４８に対する容器蓋２の雌螺条２０の螺合を漸次解除する。螺合を漸次解除すると容器蓋２の本体４は開方向に回転せしめられると共に上昇せしめられるが、タンパーエビデント裾部６は係止手段２４が口頸部４６の係止あご部５０に係止しているので上昇が阻止され、これに起因して破断可能橋絡部２２に相当な応力が生成され、破断可能橋絡部２２が破断される。しかる後においては、容器蓋２の本体４は開方向への回転と共に上昇し、タンパーエビデント裾部６から上方に漸次離間せしめられる。図２と共に図４を参照することによって明確に理解される如く、タンパーエビデント裾部６から本体４が漸次上方に離間せしめられると、非破断接続片３４ａの第一の傾動片３８ａ及び非破断接続片３４ｂの第二の傾動部４２ｂは夫々の上端及び下端を中心として図２及び図４において時計方向に旋回、即ち時計方向に傾動され、一方非破断接続片３４ａの第二の傾動片４２ａ及び非破断接続片３４ｂの第一の傾動部３８ｂは夫々の下端及び上端を中心として図２及び図４において反時計方向に旋回、即ち反時計方向に傾動され、これに応じて非破断接続片３４ａ及び３４ｂにおける第一の傾動部３８ａ及び３８ｂ並びに第二の傾動部４２ａ及び４２ｂの鉛直線に対する傾斜角度αが漸次低減される。図２及び図４と共に図５を参照することによって明確に理解される如く、口頸部４６の雄螺条４８に対する容器蓋２の雌螺条２０の螺合が完全に解除されると、容器蓋２の本体４は口頸部４６から離脱される。しかしながら、本体４は非破断接続片３４ａ及び３４ｂを介して、口頸部４６に装着され続けているタンパーエビデント裾部６に接続され続けている故に、容器の口頸部４６から離間されることはない。
【００２２】
図示の容器蓋２においては、非破断接続片３４ａ及び３４ｂは傾動方向が相互に逆である２個の傾動部即ち第一の傾動部３８ａ及び第二の傾動部４２ａ並びに第一の傾動部３８ｂ及び第二の傾動部４２ｂを含んでいる故に、非破断接続片３４ａ及び３４ｂが存在する周方向寸法は比較的小さいにも拘らず、タンパーエビデント裾部６に対して本体４が相当な長さに亘って上方に離間することを許容する。従って、口頸部４６から本体４を離脱するためには本体４を相当な長さに亘って本体４を上昇せしめる必要がある場合にも、特に問題を発生せしめることなく本体４を口頸部６４から離脱することができる。
【００２３】
容器蓋２の本体４が口頸部４６から離脱された後においては、非破断接続片３４ａ及び３４ｂの薄肉下端部４４ａ及び４４ｂをヒンジ支点として本体４を口頸部４６から遠ざかる方向に、図５に図示する状態まで旋回せしめる。かくすると、本体４に形成されている突出片３０の下端部（先端部）外側面が口頸部の係止あご部５０の上面に当接し、突出片３０の外面に形成されている段部３２が係止あご部５０の上面に係止せしめられる共に、本体４のスカート壁１０の下端がタンパーエビデント裾部６の外周面に当接し、これによって本体４は図５に図示する位置に解除自在に保持される。従って、消費者は本体４の存在によって阻害されることなく、容器内に存在する清涼飲料の如き内容物を飲食することができる。
【００２４】
内容物の飲食を途中で中断した場合には、図５に図示する位置に保持されている本体４を図５において反時計方向に旋回せしめて再び口頸部４６に被嵌し、そして容器蓋２を閉方向に回転せしめて口頸部４６の雄螺条４８に容器蓋２の雌螺条２０を螺合せしめ、かくして容器蓋２を再び図２に図示する状態に位置せしめ、口頸部４６を仮密封することができる
【００２５】
而して、本発明に従って構成された容器蓋２においては、図５に図示する位置に保持されている本体４を図５において反時計方向に旋回せしめて再び口頸部４６に被嵌する際に、口頸部４６の雄螺条４８と本体４の雌螺条２０との干渉によって阻害されることなく、充分円滑に本体４を口頸部４６に被嵌することができるようになすために、突出片３０の周方向中心即ち旋回起点５２に関して、雌螺条２０の周方向位置、更に詳しくは雌螺条２０の螺合開始端（即ち下端）５４の周方向位置が以下に詳述するとおりに設定されていることが重要である。図６及び図７を参照して説明すると、図示の実施形態においては、雌螺条２０はその螺合開始端５４から終端（即ち上端）５６まで約５６０度の角度範囲に渡って延在せしめられている。そして、かかる雌螺条２０は周方向に適宜の間隔をおいた角度位置にて切り欠かれていて、複数個の通気切欠５８が形成されている。雌螺条２０の螺合開始端５４は、上記旋回起点５２に対して±９０度、好ましくは±４５度、換言すれば上記旋回起点５２を角度領域の中心とする１８０度、好ましくは９０度、の角度領域内に位置せしめられていることが重要である。更に、上記旋回起点５２に対して直径方向反対側（即ち周方向に１８０度離間した位置）である旋回先端角度位置６０に対して±３０度、好ましくは±４０度、換言すれば旋回先端角度位置６０を角度領域の中心とする６０度、好ましくは８０度、の角度領域においては、雌螺条２０の最下方に位置する部分（即ち、特定角度領域に雌螺条２０が軸線方向に間隔をおいて２回以上位置する場合にはその最も下方に位置する部分）は連続して切り欠かれている、或いは螺条高さが低減せしめられているのが好ましい。図示の実施形態においては、旋回先端角度位置６０を角度領域の中心とする８０度の角度領域（図６及び図７に符号ｘで示す角度領域）において、雌螺条２２の螺条高さが半減せしめられている。
【００２６】
容器の口頸部４６の外周面に形成されている上記雄螺条４８は、図５と共に図８を参照することによって明確に理解される如く、螺合開始端（即ち上端）６２から約８６０度の角度範囲に渡って延在せしめられている。そして、かかる雄螺条４８も周方向に適宜の間隔おいた角度位置にて切り欠かれており、複数個の通気切欠６４が形成されている。
【００２７】
容器蓋２の本体４を図５に図示する状態から図５において反時計方向に旋回せしめて容器の口頸部４６に被嵌する際に、通常、雄螺条４８に雌螺条２０が干渉して本体４の旋回が阻害される傾向があり、そしてかかる傾向は上記旋回先端角度位置６０に対応した角度位置に雄螺条４８の螺合開始端６０が位置する場合（図５に図示する状態では雄螺条４８の螺合開始端６２は旋回起点５２の近傍に位置せしめられているが、図９及び図１０に図示する状態では雄螺条４８の螺合開始端６２は旋回先端角度位置６０に対応している）に最大となる。然るに、本発明に従って構成された容器蓋２においては、上述したとおり雌螺条２０の螺合開始端５４は、旋回起点５２を角度領域の中心とする１８０度、好ましくは９０度の角度領域に位置せしめられており、旋回先端角度位置６０は雌螺条２０の螺合開始端５４から少なくとも９０度以上周方向に離間し、従って旋回先端角度位置６０においては雌螺条２０の螺合開始端５２から上方に変位した部分が位置する。そしてまた、上記旋回起点５２に対して直径方向反対側（即ち周方向に１８０度離間した位置）である旋回先端角度位置６０を角度領域の中心とする６０度、好ましくは８０度、の角度領域においては、雌螺条２０の最下方に位置する部分は連続して切り欠かれている、或いは螺条高さが低減せしめられている。それ故に、図９及び図１０を参照することによって明確に理解される如く、雄螺条４８に対する雌螺条２０の干渉が可及的に回避され、充分円滑に本体４を図１０に図示する位置まで旋回せしめて口頸部４６に被嵌することができる。
【００２８】
図１１及び図１２は、雌螺条１２０の螺合開始端（即ち下端）１５４の周方向位置が上述したとおりに設定されていない（従って、本発明に従って改良されていない）容器蓋の典型例を図示している。図１１及び図１２に図示する容器蓋１０２においては、雌螺条１２０の螺合開始端１５４は旋回先端角度位置１６０の近傍に位置せしめられている。かような容器蓋１０２の場合には、図１３及び図１４、特に図１４、を参照することによって理解される如く、本体１０４が図１４に図示する位置まで旋回せしめられると、雌螺条１２０と雄螺条１４８とが干渉し始め、従って本体１０４を口頸部１４６に被嵌せしめるには、雌螺条１２０と雄螺条１４８との干渉を、本体１０４の弾性変形によって克服することが必要であり、口頸部１４６に本体１０４を被嵌することが著しく困難である。
【符号の説明】
【００２９】
２：容器蓋
４：本体
６：タンパーエビデント裾部
８：天面壁
１０：スカート壁
２０：雌螺条
２２：破断可能橋絡部
２４：係止手段
３０：突出片
３４ａ：非破断接続片
３４ｂ：非破断接続片
４６：容器の口頸部
４８：雄螺条
５０：係止あご部
５２：旋回起点（突出片の周方向中心）
５４：雌螺条の螺合開始点
６０：旋回先端角度位置
【図１】
0005590913.tif 000002
【図２】
0005590913.tif 000003
【図３】
0005590913.tif 000004
【図４】
0005590913.tif 000005
【図５】
0005590913.tif 000006
【図６】
0005590913.tif 000007
【図７】
0005590913.tif 000008
【図８】
0005590913.tif 000009
【図９】
0005590913.tif 000010
【図１０】
0005590913.tif 000011
【図１１】
0005590913.tif 000012
【図１２】
0005590913.tif 000013
【図１３】
0005590913.tif 000014
【図１４】
0005590913.tif 000015